(57)【特許請求の範囲】
【請求項１】
筐体から引き出し可能に設けられた複数のユニットと、各ユニットのそれぞれの筐体への装填状態でのロックおよびロック解除を行うロック機構とを有する紙幣処理機であって、
ロック解除を行うユニットの選択入力がなされる選択手段と、
少なくとも紙幣が移動中でないことを条件として、選択手段で選択されたユニットに対するロック機構によるロックを解除する制御手段と、
を具備し、
各ユニットが筐体のロック位置にあることを検出するロック位置検出手段を有しており、
前記制御手段は、一のユニットに対するロック機構によるロックを解除した場合に、その後、当該ユニットが筐体のロック位置にあることがロック位置検出手段で検出されなければ、他のユニットに対するロック機構によるロック解除を規制することを特徴とする紙幣処理機。
【請求項２】
筐体から引き出し可能に設けられた複数のユニットと、各ユニットのそれぞれの筐体への装填状態でのロックおよびロック解除を行うロック機構とを有する紙幣処理機であって、
各ユニットにおける異常を検出する異常検出手段と、
該異常検出手段で異常が検出されたユニットに対するロック機構によるロックを解除する制御手段と、
を具備し、
各ユニットが筐体のロック位置にあることを検出するロック位置検出手段を有しており、
前記制御手段は、一のユニットに対するロック機構によるロックを解除した場合に、その後、当該ユニットが筐体のロック位置にあることがロック位置検出手段で検出されなければ、他のユニットに対するロック機構によるロック解除を規制することを特徴とする紙幣処理機。
【請求項３】
筐体から引き出し可能に設けられた複数のユニットと、各ユニットのそれぞれの筐体への装填状態でのロックおよびロック解除を行うロック機構とを有する紙幣処理機であって、
ロック解除するユニットの選択入力がなされる選択手段と、
各ユニットにおける異常を検出する異常検出手段と、
選択手段でロック解除するユニットの選択入力がなされると、少なくとも紙幣が移動中でないことを条件として該選択手段で選択されたユニットに対するロック機構によるロックを解除するとともに、異常検出手段で異常が検出された場合、異常が検出されたユニットに対するロック機構によるロックを解除する制御手段と、
を具備し、
各ユニットが筐体のロック位置にあることを検出するロック位置検出手段を有しており、
前記制御手段は、一のユニットに対するロック機構によるロックを解除した場合に、その後、当該ユニットが筐体のロック位置にあることがロック位置検出手段で検出されなければ、他のユニットに対するロック機構によるロック解除を規制することを特徴とする紙幣処理機。
【請求項４】
パスワードが入力されるパスワード入力手段と、予め定められたパスワードを記憶するパスワード記憶手段とを有し、
前記制御手段は、パスワード入力手段に入力されたパスワードが、パスワード記憶手段に記憶されたパスワードと一致する場合のみ、前記ロック機構によるロック解除を許容することを特徴とする請求項１乃至３のいずれか一項記載の紙幣処理機。
【請求項５】
前記制御手段は、ロック機構によりロックを解除した場合に、そのロック解除に応じた情報をロック情報記憶手段に記憶させることを特徴とする請求項１乃至４のいずれか一項記載の紙幣処理機。
【発明の詳細な説明】
【０００１】
【発明の属する技術分野】
本発明は、入金された紙幣を収納するとともに収納された紙幣を必要に応じて出金させる等の紙幣処理を行う紙幣処理機に関する。
【０００２】
【従来の技術】
入金口に投入された紙幣を機体内部に複数設けられたスタッカに収納するとともに、この入金した紙幣を該スタッカから繰り出して出金紙幣として還流する紙幣入出金機では、その紙幣のスタッカに対する補給・回収作業あるいは障害時における復旧作業等を考慮し、その構成が、紙幣を搬送するための搬送部ユニットと、大量の紙幣を収納可能な前記スタッカがセットされる収納部ユニット等に分れた構成となっている。
ところで、収納部ユニットにセットされる各スタッカ内には大量の紙幣が収納されているため、その取り扱いおよび管理が非常に難しいものとなっている。
このような紙幣入出金機でのユニットの取り扱いに関するものとして、特開平５−１６２８６３号公報に示される紙幣入出金機のカートリッジロック装置がある。
この紙幣入出金機では、取引対応時においては制御手段がカートリッジロック機構をロックさせてカートリッジの引き出しを規制し、誤引き出しに起因する装置内部での障害発生や破損発生等を未然に防ぐとともに、非取引対応時には制御手段がカートリッジロック機構をロック解除動作させてカートリッジの引き出しを許容するようにしてその管理を行うようになっている。
【０００３】
【発明が解決しようとする課題】
ところで、本出願人は、異常を解消するための作業時等における作業性を向上させることができる紙幣処理機として、その構造を複数のユニットに分割して、これらユニットを筐体に引き出し可能に支持させることを考えた。
そして、このような構成において、上述のようなロック機構を採用することを考えたが、ロックを解除するとすべてのユニットが開放可能となってしまうのでは、セキュリティー管理の面から問題が残ってしまう。
【０００４】
したがって、本発明の目的は、種々の状態および状況に応じた各ユニット単位のセキュリティー管理を良好に行うことができる紙幣処理機を提供することである。
【０００５】
【課題を解決するための手段】
上記目的を達成するため、本発明の請求項１記載の紙幣処理機は、筐体から引き出し可能に設けられた複数のユニットと、各ユニットのそれぞれの筐体への装填状態でのロックおよびロック解除を行うロック機構とを有するものであって、ロック解除を行うユニットの選択入力がなされる選択手段と、少なくとも紙幣が移動中でないことを条件として、選択手段で選択されたユニットに対するロック機構によるロックを解除する制御手段と、を具備し、各ユニットが筐体のロック位置にあることを検出するロック位置検出手段を有しており、前記制御手段は、一のユニットに対するロック機構によるロックを解除した場合に、その後、当該ユニットが筐体のロック位置にあることがロック位置検出手段で検出されなければ、他のユニットに対するロック機構によるロック解除を規制することを特徴としている。
これにより、ユニットを開放させて何等かの処理を行う必要がある場合に、処理するためロック解除を行うユニットの選択がオペレータにより選択手段を介して入力されると、制御手段が、選択手段で選択されたユニットに対するロック機構によるロックを自動的に解除することになる。
一のユニットに対するロック機構によるロックを解除した場合に、その後、当該ユニットが筐体のロック位置にあることがロック位置検出手段で検出されなければ、制御手段は、他のユニットに対するロック機構によるロック解除を規制することになるため、一のユニットと他のユニットとが同時にロック解除されて開放されてしまうことがない。
【０００６】
本発明の請求項２記載の紙幣処理機は、筐体から引き出し可能に設けられた複数のユニットと、各ユニットのそれぞれの筐体への装填状態でのロックおよびロック解除を行うロック機構とを有するものであって、各ユニットにおける異常を検出する異常検出手段と、該異常検出手段で異常が検出されたユニットに対するロック機構によるロックを解除する制御手段と、を具備し、各ユニットが筐体のロック位置にあることを検出するロック位置検出手段を有しており、前記制御手段は、一のユニットに対するロック機構によるロックを解除した場合に、その後、当該ユニットが筐体のロック位置にあることがロック位置検出手段で検出されなければ、他のユニットに対するロック機構によるロック解除を規制することを特徴としている。
これにより、ユニットにおいて異常が発生した場合に、ユニットを開放させてその異常を解消させなければ、処理動作が中断した状態のままとなってしまうことになり、しかも、これが窓口等で顧客との取り引きに応じた処理を行っている場合には、一刻も早く異常を解消させて取り引きに対応しなければならないことになるが、制御手段が、異常検出手段で異常が検出された場合に、該異常が検出されたユニットに対するロック機構によるロックを自動的に解除することになる。
一のユニットに対するロック機構によるロックを解除した場合に、その後、当該ユニットが筐体のロック位置にあることがロック位置検出手段で検出されなければ、制御手段は、他のユニットに対するロック機構によるロック解除を規制することになるため、一のユニットと他のユニットとが同時にロック解除されて開放されてしまうことがない。
【０００７】
本発明の請求項３記載の紙幣処理機は、筐体から引き出し可能に設けられた複数のユニットと、各ユニットのそれぞれの筐体への装填状態でのロックおよびロック解除を行うロック機構とを有するものであって、ロック解除するユニットの選択入力がなされる選択手段と、各ユニットにおける異常を検出する異常検出手段と、選択手段でロック解除するユニットの選択入力がなされると、少なくとも紙幣が移動中でないことを条件として該選択手段で選択されたユニットに対するロック機構によるロックを解除するとともに、異常検出手段で異常が検出された場合、異常が検出されたユニットに対するロック機構によるロックを解除する制御手段と、を具備し、各ユニットが筐体のロック位置にあることを検出するロック位置検出手段を有しており、前記制御手段は、一のユニットに対するロック機構によるロックを解除した場合に、その後、当該ユニットが筐体のロック位置にあることがロック位置検出手段で検出されなければ、他のユニットに対するロック機構によるロック解除を規制することを特徴としている。
これにより、ユニットを開放させて何等かの処理を行う必要がある場合に、処理するためロック解除を行うユニットの選択がオペレータにより選択手段を介して入力されると、制御手段が、選択手段で選択されたユニットに対するロック機構によるロックを自動的に解除することになる。また、ユニットにおいて異常が発生した場合に、ユニットを開放させてその異常を解消させなければ、処理動作が中断した状態のままとなってしまうことになり、しかも、これが窓口等で顧客との取り引きに応じた処理を行っている場合には、一刻も早く異常を解消させて取り引きに対応しなければならないことになるが、制御手段が、異常検出手段で異常が検出された場合に、該異常が検出されたユニットに対するロック機構によるロックを自動的に解除することになる。
一のユニットに対するロック機構によるロックを解除した場合に、その後、当該ユニットが筐体のロック位置にあることがロック位置検出手段で検出されなければ、制御手段は、他のユニットに対するロック機構によるロック解除を規制することになるため、一のユニットと他のユニットとが同時にロック解除されて開放されてしまうことがない。
【０００８】
本発明の請求項４記載の紙幣処理機は、請求項１乃至３のいずれか一項記載のものに関して、パスワードが入力されるパスワード入力手段と、予め定められたパスワードを記憶するパスワード記憶手段とを有し、前記制御手段は、パスワード入力手段に入力されたパスワードが、パスワード記憶手段に記憶されたパスワードと一致する場合のみ、前記ロック機構によるロック解除を許容することを特徴としている。
このように、パスワード入力手段に入力されたパスワードが、パスワード記憶手段に記憶されたパスワードと一致する場合のみ、制御手段がロック機構によるロック解除を許容するため、パスワードを知らない人間が、ロック機構によるロック解除を行わせようとしてもできないことになる。
【００１０】
本発明の請求項５記載の紙幣処理機は、請求項１乃至４のいずれか一項記載のものに関して、前記制御手段は、ロック機構によりロックを解除した場合に、そのロック解除に応じた情報をロック情報記憶手段に記憶させることを特徴としている。
これにより、制御手段は、ロック解除時に、ロック解除に応じた、例えばオペレータの識別、ロック解除の場所、ロック解除の時間等の情報を記憶することになるため、ロックを解除することによってオペレータが開放されたユニットに触れることができても、セキュリティー管理を行うことができる。
【００１１】
【発明の実施の形態】
以下、本発明の紙幣処理機の一の実施の形態を図１〜図６に基づいて説明する。
この実施の形態の紙幣処理機１は、紙幣を受け入れるとともに必要に応じて繰り出すいわゆる紙幣入出金機であり、その前面側に入金口２と出金／リジェクト口３とがそれぞれ一つずつ設けられており、入金口２には、外部から入金処理しようとする紙幣が集積状態で使用者により投入され、繰出機構５により該紙幣が１枚ずつ繰り出されて搬送路６に送られるようになっている。
【００１２】
搬送路６は、入金口２と出金／リジェクト口３とを接続させるもので、その途中には紙幣の金種、真偽、斜め送り、多重送りなどを鑑別する入出金鑑別部７が設けられており、入金口２から入金された入金紙幣の中で、入出金鑑別部７により正常紙幣以外の、偽券、斜め送りおよび多重送り等のリジェクト紙幣と鑑別された紙幣を出金／リジェクト口３から外部に払い戻す。
【００１３】
また、この搬送路６の入出金鑑別部７の入金口２に対し反対側には、搬送路６から分岐して中間スタッカ８に接続される搬送路９、この搬送路９から分岐する反転用の搬送路１０およびこの搬送路９に合流する出金用の搬送路２５が設けられている。搬送路９，１０は入出金鑑別部７により正常紙幣と鑑別され各金種別に計数された紙幣を中間スタッカ８に振り分けて搬送し一時貯留あるいは収納させるものである。
【００１４】
中間スタッカ８の機体１における前方側には、機体１に対し装着された状態の該中間スタッカ８内に進退するセパレータ１１が設けられている。
中間スタッカ８の上部には紙幣を出入りさせるための入出機構１２が設けられており、この入出機構１２が、搬送路６から受け入れさせるための搬送路９を通じて紙幣を中間スタッカ８に収納させ、また、搬送路１０を通じて、入出金鑑別部７で裏面と鑑別された紙幣を反転させた後、中間スタッカ８に収納させ、さらに中間スタッカ８内の紙幣を搬送路２５から繰り出すようになっている。
【００１５】
また、中間スタッカ８内の入出機構１２の下方には水平状態を保った状態で上下方向に移動自在な１枚のエレベータ１３が設けられており、このエレベータ１３上には紙幣が水平状態で集積載置される。また、エレベータ１３は、中間スタッカ８内の下部位置から入出機構１２の一部に当接する位置までの間で、図示せぬ駆動機構で昇降駆動される。
【００１６】
中間スタッカ８では、セパレータ１１が進入した状態で、搬送路９または搬送路１０を経由して搬送された入金紙幣を一時貯留紙幣として載置し、この入金紙幣の金額をオペレータが承認した入金確定操作後、セパレータ１１が退避することで、エレベータ１３上に受け渡させる。また、必要に応じて、セパレータ１１が退避した状態でエレベータ１３が上昇してその上に載置させていた紙幣を、入出機構１２により搬送路２５を介して繰り出させる。
搬送路６の入金口２と入出金鑑別部７との間と、搬送路２５との間には、中間スタッカ８内の紙幣を繰り出すための搬送路１４が設けられている。
【００１７】
一方、機体１の後方下部には、各金種別にそれぞれ設けられて、紙幣をそれぞれが同一金種のみ収納する一方、収納した紙幣を必要に応じて繰り出し可能な金種別スタッカ１５〜１７が設けられており、金種別スタッカ１５〜１７と搬送路９との間に搬送路２０が設けられている。
【００１８】
また、金種別スタッカ１５〜１７と搬送路２０との間には、金種別スタッカ１５〜１７に対して紙幣を振り分けて収納させるための搬送路２６〜２８と、金種別スタッカ１５〜１７から紙幣を送り出させるための搬送路２９〜３１とが設けられている。
【００１９】
そして、金種別スタッカ１５の上部には、紙幣を出入りさせるための入出機構３３が設けられており、この入出機構３３は、搬送路２０から受け入れさせるための紙幣を搬送路２６を通じて金種別スタッカ１５に収納させ、また金種別スタッカ１５内の紙幣を搬送路２９から搬送路２０に繰り出すようになっている。同様に、金種別スタッカ１６の上部には、紙幣を出入りさせるための入出機構３４が設けられており、この入出機構３４は、搬送路２０から受け入れさせるための紙幣を搬送路２７を通じて金種別スタッカ１６に収納させ、また金種別スタッカ１６内の紙幣を搬送路３０から搬送路２０に繰り出すようになっている。同様に、金種別スタッカ１７の上部には、紙幣を出入りさせるための入出機構３５が設けられており、この入出機構３５は、搬送路２０から受け入れさせるための紙幣を搬送路２８を通じて金種別スタッカ１７に収納させ、また金種別スタッカ１７内の紙幣を搬送路３１から搬送路２０に繰り出すようになっている。
【００２０】
金種別スタッカ１５〜１７は、その内部にエレベータ２１〜２３が設けられており、これらエレベータ２１〜２３上に紙幣が水平状態で集積収納されるようになっている。また、これらエレベータ２１〜２３は、金種別スタッカ１５〜１７内の下部位置から入出機構３３〜３５の一部に当接する位置までの間で、図示せぬ駆動機構で昇降駆動される。
【００２１】
ここで、搬送路２０は、搬送路９および搬送路１４を介して、入出金鑑別部７に接続されており、この入出金鑑別部７では、金種別スタッカ１５〜１７から送り出された紙幣の金種、真偽、斜め送り、多重送り等をも鑑別する。
【００２２】
搬送路６の搬送路９への接続部分と出金／リジェクト口３との間には、リジェクト紙幣を収納するためのリジェクトボックス１８が設けられている。このリジェクトボックス１８は、各金種別スタッカ１５〜１７から繰り出された紙幣の中でリジェクト紙幣があった場合に、そのリジェクト紙幣を収納するものである。また、このリジェクトボックス１８は単なる箱状体であって、搬送路６に接続された搬送路２４により搬送されたリジェクト紙幣がそのまま投げ込まれて収納される。
【００２３】
以上のような内部構造を有する紙幣処理機１は、前方が開口する略箱型の筐体４０と、該筐体４０に後方側が挿入された上部ユニット（ユニット）４１と、筐体４０に後方側が挿入されるとともに上部ユニット４１の下側に配置された下部ユニット（ユニット）４２とで全体が構成されている。
上部ユニット４１には、上述した入金口２と、出金／リジェクト口３と、繰出機構５と、搬送路６と、入出金鑑別部７と、搬送路９，１０，２５の上部と、搬送路１４と、搬送路２０と、搬送路２６〜３１の上部と、リジェクトボックス１８とが設けられている。ここで、リジェクトボックス１８は、上部ユニット４１に対し上方または側方から着脱自在とされている。
【００２４】
他方、下部ユニット４２には、入出機構１２、エレベータ１３および搬送路９，１０，２５の下部を含む中間スタッカ８と、セパレータ１１と、搬送路２６，２９の下部、入出機構３３およびエレベータ２１を含む金種別スタッカ１５と、搬送路２７，３０の下部、入出機構３４およびエレベータ２２を含む金種別スタッカ１６と、搬送路２８，３１の下部、入出機構３５およびエレベータ２３を含む金種別スタッカ１７とが設けられている。ここで、中間スタッカ８および金種別スタッカ１５〜１７は、それぞれ下部ユニット４２に対し上方から着脱自在とされている。
【００２５】
上部ユニット４１は、スライドレール４４を介して筐体４０に対し引き出し可能に支持されており、下部ユニット４２も、スライドレール４５を介して筐体４０に対し引き出し可能に支持されている。ここで、下部ユニット４２は、上部ユニット４１より前方に突出可能とされており、よって、図３に示すような上部ユニット４１と一体の引き出しおよび図４に示すような上部ユニット４１が筐体４０内に装填されたままの状態での単独の引き出しとが可能とされている。他方、上部ユニット４１は、下部ユニット４２より前方に突出不可とされており、よって、図３に示すような下部ユニット４２と一体の引き出しが可能とされている。なお、上部ユニット４１は筐体４０から引き出されるとこれを覆うものがなくなるため、開放されることになりリジェクトボックス１８の着脱および搬送路上の紙幣の取り出しが可能となる。
【００２６】
上部ユニット４１には、筐体４０の所定の上部定位置まで挿入された状態にある上部ユニット４１の筐体４０に対するロックとロック解除とを行う電磁ロックからなる装置ロック機構（ロック機構）４７（図５参照）が設けられている。また、筐体４０には、上部ユニット４１が筐体４０の上部定位置まで挿入された状態にあるか否かを検知する上部ユニット定位置検知センサ（ロック位置検出手段）４８（図５参照）が設けられている。なお、装置ロック機構４７は、非駆動時（非通電時）に上部定位置にある上部ユニット４１を筐体４０に対しロックする一方、駆動時（通電時）にロックを解除する。
【００２７】
下部ユニット４２の上部位置には、該下部ユニット４２が上部ユニット４１と前後方向の位置を合わせた状態で該上部ユニット４１に対するロックとロック解除とを行う電磁ロックからなる下部ユニットロック機構（ロック機構）５０（図５参照）が設けられている。また、筐体４０には、上部ユニット４１が筐体４０の上部定位置まで挿入された状態にあるとき、該上部ユニット４１に下部ユニットロック機構５０でロック可能な所定の下部定位置まで下部ユニット４２が挿入された状態にあるか否かを検知する下部ユニット定位置検知センサ（ロック位置検出手段）５１（図５参照）が設けられている。なお、下部ユニットロック機構５０も、非駆動時（非通電時）に下部ユニット４２を上部ユニット４１に対しロックする一方、駆動時（通電時）にロックを解除する。
【００２８】
装置ロック機構４７が解除されて上部ユニット４１および下部ユニット４２が筐体４０から引き出された状態となっても、下部ユニットロック機構５０がロック状態にあると、上部ユニット４１を下部ユニット４２に対してずらすことができず、上部ユニット４１に覆われることによって下部ユニット４２が開放されないため、オペレータが下部ユニット４２にある中間スタッカ８および金種別スタッカ１５〜１７のいずれにも触れることができないようになっている。他方、下部ユニットロック機構５０がロック解除状態にあると、上部ユニット４１を下部ユニット４２に対してずらすことができ、下部ユニット４２を開放して、オペレータが下部ユニット４２にある中間スタッカ８および金種別スタッカ１５〜１７のいずれにも触れることができるようになっている。
【００２９】
図１に示すように、上部ユニット４１の前面には、出金／リジェクト口３に近接して、両側に紙幣処理機１の処理の結果および状態等を表示する表示部５３が設けられており、一側に各種の指令および設定等を行う操作部（選択手段，パスワード入力手段）５４が設けられている。
そして、上部ユニット４１の前面であって操作部５４の下側には、キースイッチ５５が設けられており、このキースイッチ５５は、各種モードに対応するキー位置をそれぞれ有していて、着脱自在の専用のキーを鍵穴に挿入した状態でのみ回転すなわちキー位置の切り換え操作が可能とされている。
【００３０】
キースイッチ５５で選択可能な各種モードには、「テラー」モードと、「管理」モードと、「パスワード」モード等とがあり、「テラー」モードは、入出金処理等の通常の運用を実行させるモードであり、「管理」モードは、紙幣の補充／回収、紙幣処理機１等に関する各種の設定、および異常時、待機時等に各ユニット４１，４２を筐体４０から引き出すためのユニット４１，４２のロック解除等、紙幣処理機１自体の管理を実行させるモードであって、「パスワード」モードは、ロック解除の際に必要となるパスワードの設定および変更等を実行させるモードである。
【００３１】
上部ユニット４１の前面であってキースイッチ５５の下方には、上述した装置ロック機構４７によるロックとは別に、上部定位置に上部ユニット４１が位置するとこれを自動的かつ機械的に筐体４０にロックするとともに、キー操作で該ロックを解除するキー引出部５６が設けられており、このキー引出部５６は、上部ユニット４１を筐体４０にロックするキー位置と、上部ユニット４１の筐体４０に対するロックを解除するキー位置とを有していて、着脱自在のキーを挿入した状態でのみ回転すなわちキー位置の切り換え操作が可能とされている。
【００３２】
よって、上部ユニット４１は、装置ロック機構４７が筐体４０に対する上部ユニット４１のロックを解除しかつキー引出部５６が上部ユニット４１の筐体４０に対するロックを解除するキー位置にあるときに、筐体４０からの引き出しが可能とされ、それ以外の状態では、筐体４０からの引き出しが不可とされる。
【００３３】
下部ユニット４２には、上述した下部ユニットロック機構５０によるロックとは別に、下部定位置に下部ユニット４２が位置するとこれを自動的かつ機械的に上部定位置にある上部ユニット４１にロックするとともに、レバー操作で該ロックを解除する図示せぬロック部が設けられている。
そして、下部ユニット４２の前面には、下部ユニット４２を筐体４０から引き出す際にオペレータにより把持される取手部５８が設けられており、該取手部５８の内側には、ロック部により下部ユニット４２を上部ユニット４１に機械的にロックさせるとともに、取手部５８の把持時に引かれることでロック部によるロックを解除して下部ユニット４２の単独での引き出しを可能とする図示せぬ引出レバーが設けられている。
【００３４】
よって、下部ユニット４２は、下部ユニットロック機構５０が上部ユニット４１に対する下部ユニット４２のロックを解除しかつ図示せぬ引出レバーが引かれて図示せぬロック部が上部ユニット４１に対する下部ユニット４２のロックを解除する位置にあるときに、単独での筐体４０からの引き出しが可能とされ、それ以外の状態では、単独での筐体４０からの引き出しが不可とされる。
【００３５】
なお、紙幣処理機１には、内部の所定の各所に紙幣のジャム等の搬送不良を検出する搬送不良検出センサ（異常検出手段）６０（図５参照）が多数設けられており、この搬送不良検出センサ６０は、一の紙幣が所定時間を越えて検出され続けている場合にジャム等の搬送不良の異常が生じたと判定し、そうでない場合に搬送は正常であると判定する。
【００３６】
また、リジェクトボックス１８には、内部の紙幣の満杯状態を検知するリジェクトフル検知センサ（異常検出手段）６１（図５参照）が設けられている。このリジェクトフル検知センサ６１は、紙幣を検出した場合に、リジェクトボックス１８内の紙幣が満杯状態となる異常が発生したと判定し、そうでない場合に正常と判定する。
【００３７】
さらに、中間スタッカ８および各金種別スタッカ１５〜１７には、それぞれ、内部の紙幣の満杯状態を検知するスタッカフル検知センサ（異常検出手段）６２（図５参照）および内部の紙幣の不足状態を検知するスタッカエンド検知センサ（異常検出手段）６３（異常検出手段）が設けられている。各スタッカフル検知センサ６２では、紙幣を検出した場合に、対応する中間スタッカ８あるいは金種別スタッカ１５〜１７内の紙幣が満杯状態となる異常が発生したと判定し、そうでない場合に正常と判定する。加えて、各スタッカエンド検知センサ６３では、紙幣を検出しなくなった場合に、対応する中間スタッカ８あるいは金種別スタッカ１５〜１７内の紙幣が空状態となる異常が発生したと判定し、そうでない場合に正常と判定する。
【００３８】
そして、装置ロック機構４７、上部ユニット定位置検知センサ４８、下部ユニットロック機構５０、下部ユニット定位置検知センサ５１、表示部５３、操作部５４、キースイッチ５５、搬送不良検出センサ６０、リジェクトフル検知センサ６１、スタッカフル検知センサ６２およびスタッカエンド検知センサ６３は、ＣＰＵ（制御手段）６５に電気的に接続されており、該ＣＰＵ６５にはＲＡＭ（ロック情報記憶手段）６６およびＲＯＭ（パスワード記憶手段）６７が電気的に接続されている。
【００３９】
以上の構成の紙幣処理機１において、機体電源がＯＦＦされた状態では、装置ロック機構４７は上部ユニット４１を上部定位置で筐体４０にロックさせた状態を常に維持しており、下部ユニットロック機構５０は下部ユニット４２を下部定位置で上部ユニット４１にロックさせた状態を常に維持している。よって、キー引出部５６により上部ユニット４１の筐体４０へのロックをキー操作で解除しても、図示せぬ引出レバーで下部ユニット４２の上部ユニット４１へのロックを解除しても、上部ユニット４１および下部ユニット４２のいずれも筐体４０から引き出すことはできない。このように設定されているのは、機体電源がＯＦＦされた状態では、上部ユニット４１および下部ユニット４２を筐体４０から引き出す必要が全くないためである。
【００４０】
また、紙幣処理機１が、紙幣の移動をともなう入金動作あるいは出金動作等の動作中において、ＣＰＵ６５は、装置ロック機構４７で上部ユニット４１を上部定位置で筐体４０にロックさせた状態を常に維持しており、下部ユニットロック機構５０で下部ユニット４２を下部定位置で上部ユニット４１にロックさせた状態を常に維持している。よって、キー引出部５６により上部ユニット４１の筐体４０へのロックをキー操作で解除しても、図示せぬ引出レバーで下部ユニット４２の上部ユニット４１へのロックを解除しても、上部ユニット４１および下部ユニット４２のいずれも筐体４０から引き出すことはできない。このように設定されているのは、動作中は紙幣が移動しているため、上部ユニット４１あるいは下部ユニット４２を引き出すと不必要な障害が発生してしまうことになるためである。
【００４１】
他方、紙幣処理機１が、紙幣の移動をともなわない待機時および内部に異常が発生して紙幣の移動を停止させた異常発生時において、ＣＰＵ６５は、装置ロック機構４７および下部ユニットロック機構５０のロックを図６に示すフローチャートに沿って解除するセキュリティー管理制御を行う。
以下、このセキュリティー管理制御の制御内容を、操作手順等と合わせて説明する。
【００４２】
機体電源がＯＮ状態であり、かつ紙幣の移動をともなわない待機時および内部に異常が発生して紙幣の移動を停止させた異常発生時において、オペレータによりキースイッチ５５で「管理」モードが選択されると、ＣＰＵ６５は、オペレータに対してパスワードの入力を指示する「パスワード入力画面」を表示部５３に表示させる（ステップＳＰ１）。なお、機体電源がＯＦＦ状態である場合には、キースイッチ５５で「管理」モードが選択されても当然のことながらＣＰＵ６５は作動せず、また、入金処理または出金処理の動作中である場合に「管理」モードが選択された場合、ＣＰＵ６５は動作が終了するまで「管理」モードの選択を受け入れず、動作が終了すると「管理」モードの選択を受け入れる。
【００４３】
ステップＳＰ１で表示部５３に表示を行わせた後、ＣＰＵ６５は、オペレータによりパスワードの入力が操作部５４に対しなされると（ステップＳＰ２）、入力されたパスワードを予め個々のオペレータ毎に設定されＲＯＭ６７に記憶されたパスワードと比較して、入力されたパスワードが予め記憶されたパスワードのいずれかと一致するか否か照合する（ステップＳＰ３）。そして、入力されたパスワードが予め記憶されたパスワードのいずれとも一致しなければ、ステップＳＰ１に戻る。
【００４４】
他方、ステップＳＰ３で、入力されたパスワードが予め記憶されたパスワードのいずれかと一致する場合、ＣＰＵ６５は、中間スタッカ８および金種別スタッカ１５〜１７のいずれかに対する紙幣の補充／回収、紙幣処理機１に関する各種の設定、およびユニット４１，４２の引き出しのロック／ロック解除等の選択をオペレータに対し指示する「（管理）処理モード選択画面」を表示部５３に表示させる（ステップＳＰ４）。
【００４５】
そして、オペレータによりロック解除モードの選択入力が操作部５４に対しなされると（ステップＳＰ５）、ＣＰＵ６５は、各搬送不良検出センサ６０、リジェクトフル検知センサ６１、各スタッカフル検知センサ６２および各スタッカエンド検知センサ６３等の検知状況から異常が発生しているか否かを判定する（ステップＳＰ６）。
【００４６】
ステップＳＰ６で、各搬送不良検出センサ６０、リジェクトフル検知センサ６１、各スタッカフル検知センサ６２および各スタッカエンド検知センサ６３等の少なくともいずれか一つで異常が検出され異常が発生していると判定される場合には、該異常が上部ユニット４１のみ、または上部ユニット４１および下部ユニット４２に係るものなのか、否か（すなわち下部ユニット４２のみに係るものなのか）を判定する（ステップＳＰ７）。
【００４７】
ここで、異常が上部ユニット４１のみに係る場合、その内容は、主に、上部ユニット４１に設けられた搬送不良検出センサ６０で検出される異常すなわち搬送不良と、リジェクトフル検知センサ６１により検出される異常すなわちリジェクトボックス１８の満杯状態の発生とがある。搬送不良の場合には、上部ユニット４１から搬送不良を生じている紙幣を回収し、また満杯状態の発生の場合には、リジェクトボックス１８から紙幣を回収することが必要になる。
【００４８】
また、異常が下部ユニット４２のみに係る場合、その内容は、主に、下部ユニット４２に設けられた搬送不良検出センサ６０で検出される異常すなわち搬送不良（各スタッカ８，１５〜１７からの紙幣の繰り出し／取り込み不良を含む）と、スタッカフル検知センサ６２で検出される異常すなわちスタッカ８，１５〜１７の満杯状態の発生と、スタッカエンド検知センサ６３で検出される異常すなわちスタッカ８，１５〜１７の空状態の発生とがある。搬送不良の場合には、下部ユニット４２から搬送不良を生じている紙幣を回収し、また、満杯状態あるいは空状態の発生の場合には、下部ユニット４２からスタッカ８，１５〜１７の必要なものを取り出して紙幣の装填あるいは回収を行ったりすることが必要になる。
【００４９】
加えて、異常が上部ユニット４１および下部ユニット４２に係る場合、その内容は、下部ユニット４２にジャム等の搬送不良が発生し、しかもこれにともなって上部ユニット４１の搬送路上に紙幣が停止してしまう異常がある。この異常時には、停止した紙幣の計数を確定できないため、上部ユニット４１および下部ユニット４２から紙幣を回収する必要が生じる。
【００５０】
そして、ステップＳＰ７で、異常が上部ユニット４１のみ、または上部ユニット４１および下部ユニット４２に係るものと判定された場合、ＣＰＵ６５は、装置ロック機構４７による上部ユニット４１と筐体４０とのロックを解除する（ステップＳＰ８）。そして、装置ロック機構４７によるロックを解除すると、ＣＰＵ６５は、装置ロック機構４７によりロックが解除されたことと、引き出すユニット（この場合、上部ユニット４１）を含む異常発生の場所等とを含む「装置ロック機構ロック解除画面」を表示部５３に表示させる（ステップＳＰ９）。
【００５１】
この表示部５３の表示を見て、オペレータがキー引出部５６に専用のキーを挿入して上部ユニット４１と筐体４０とのロックを解除することで、上部ユニット４１と下部ユニット４２とを一体に筐体４０から引き出すことができる。このとき、下部ユニットロック機構５０により上部ユニット４１と下部ユニット４２とはロック状態に維持されているため、上部ユニット４１の存在により、下部ユニット４２が開放されることはなく、下部ユニット４２のスタッカ８，１５〜１７の取り出し等は不可となっている。
そして、下部ユニット４２と一体的に筐体４０から引き出された上部ユニット４１は、開放されているため、オペレータが搬送不良紙幣の回収、停止紙幣の回収、あるいはリジェクトボックス１８の紙幣の回収等を必要に応じて行うことになる。
【００５２】
ここで、ステップＳＰ８で装置ロック機構４７によるロックを解除すると、ＣＰＵ６５は、ロックを解除するためにステップＳＰ２で入力されたパスワード（すなわちオペレータの識別）と、異常でロックを解除したのか否かの状態内容と、解除したロック機構または開放可能なユニットと、ロック解除の日時等を、ロック解除情報としてＲＡＭ６６に記憶させる（ステップＳＰ１０）。このＲＡＭ６６に記憶されたロック解除情報は、必要に応じて読み出して、表示部５３に表示させたり、図示せぬ印字手段に印字できるようになっている。
【００５３】
次に、ＣＰＵ６５は、上部ユニット定位置検知センサ４８の検知結果から上部ユニット４１が筐体４０内の上部定位置に装填されたか否かを判定し（ステップＳＰ１１）、上部ユニット４１が筐体４０内の上部定位置に装填されている場合には、装置ロック機構４７で筐体４０に上部ユニット４１をロックさせる（ステップＳＰ１２）。この上部定位置への装填により、キー引出部５６による上部ユニット４１の筐体４０へのロックも行われることになる。
以上の上部ユニット４１の開放に係るステップＳＰ８〜ＳＰ１２の間において、下部ユニットロック機構５０はロック解除されることがないため、下部ユニット４２は開放されることがない。
【００５４】
次に、ＣＰＵ６５は、各搬送不良検出センサ６０、リジェクトフル検知センサ６１、各スタッカフル検知センサ６２および各スタッカエンド検知センサ６３等の検知状況から異常が発生しているか否かを判定する（ステップＳＰ１３）。
【００５５】
ステップＳＰ１３で、各搬送不良検出センサ６０、リジェクトフル検知センサ６１、各スタッカフル検知センサ６２および各スタッカエンド検知センサ６３等の少なくともいずれか一つで異常が検出され異常が発生していると判定される場合には、ステップＳＰ７に戻る。ここで、ステップＳＰ８〜ＳＰ１２が実行された後においては、上部ユニット４１に係る異常は基本的には解消されていることになるため、ステップＳＰ７での判定は、否（すなわち異常は下部ユニット４２のみに係るもの）となる。
他方、ステップＳＰ１３で、異常が発生していると判定されない場合には、表示部５３の表示内容を、「（管理）処理モード選択画面」に戻す。すると、オペレータは、キースイッチ５５を「管理」モードから「テラー」モードに切り換えて、異常が解消された場合には処理を再開させることになる。
【００５６】
ステップＳＰ７で、異常が上部ユニット４１のみ、または上部ユニット４１および下部ユニット４２に係るものでない、すなわち下部ユニット４２のみに係るものであると判定した場合に、ＣＰＵ６５は、下部ユニットロック機構５０による上部ユニット４１と下部ユニット４２とのロックを解除する（ステップＳＰ１４）。そして、下部ユニットロック機構５０によるロックを解除すると、ＣＰＵ６５は、下部ユニットロック機構５０によるロックが解除されたことと、引き出すユニットを含む異常発生の場所等とを含む「下部ユニットロック機構ロック解除画面」を表示部５３に表示させる（ステップＳＰ１５）。
【００５７】
この表示部５３の表示を見て、オペレータが取手部５８を図示せぬ引出レバーを引くように把持すると上部ユニット４１と下部ユニット４２とのロックを解除することになり、これにより、下部ユニット４２を筐体４０から引き出すことができる。このとき、装置ロック機構４７により上部ユニット４１と筐体４０とがロック状態に維持されているため、上部ユニット４１が引き出される（すなわち開放される）ことはなく、下部ユニット４２のみを引き出して開放させることができる。
そして、このように単独で筐体４０から引き出され開放された下部ユニット４２は、オペレータが搬送不良紙幣の回収、あるいはスタッカ８，１５〜１７の紙幣の回収・充填等を必要に応じて行うことになる。
【００５８】
ここで、ステップＳＰ１４で下部ユニットロック機構５０のロックを解除すると、ＣＰＵ６５は、ロックを解除するためにステップＳＰ２で入力されたパスワード（すなわちオペレータの識別）と、異常でロックを解除したのか否かの状態内容と、解除したロック機構または開放可能なユニットと、ロック解除の日時等を、ロック解除情報としてＲＡＭ６６に記憶する（ステップＳＰ１６）。このＲＡＭ６６に記憶されたロック解除情報は、必要に応じて読み出して、表示部５３に表示させたり、図示せぬ印字手段に印字できるようになっている。
【００５９】
次に、ＣＰＵ６５は、下部ユニット定位置検知センサ５１の検知結果から下部ユニット４２が筐体４０内の下部定位置に装填されたか否かを判定し（ステップＳＰ１７）、下部ユニット４２が筐体４０内の下部定位置に装填されている場合には、下部ユニットロック機構５０で上部ユニット４１に下部ユニット４２をロックさせる（ステップＳＰ１８）。この下部定位置への装填により、図示せぬロック部による下部ユニット５２の上部ユニット５１へのロックも行われることになる。
【００６０】
なお、上記ステップＳＰ７において、上部ユニット４１および下部ユニット４２に係る異常と判定された場合に、上部ユニット４１からの異常解消作業を優先させたことにより、必要以上に多くのユニットを開放させないようにしている。つまり、全てのロックを一度に解除させても、オペレータが全てのユニット４１，４２に対し一度に作業することはできないため、ロック解除されているにも拘わらず作業が行われていないユニットのセキュリティー管理を行うのである。
【００６１】
すなわち、オペレータがステップＳＰ８の後に上部ユニット４１の作業を行う際には、下部ユニット４２は開放させず、ステップＳＰ１１で作業が終わった上部ユニット４１が筐体４０内の上部定位置に戻されてステップＳＰ１２でロックされなければ、ステップＳＰ１２〜ＳＰ１３〜ＳＰ７〜ＳＰ１４の流れによる下部ユニット４２の筐体４０からの引き出しをできないようにして、異常時の解消作業中における解消作業対象以外のユニットのセキュリティー管理を行う。
【００６２】
ステップＳＰ６で、各搬送不良検出センサ６０、リジェクトフル検知センサ６１、各スタッカフル検知センサ６２および各スタッカエンド検知センサ６３等のいずれでも異常が検出されず異常が発生していないと判定される場合には、待機状態においてオペレータの意志によりユニット４１，４２を開放しなければならない場合となる。つまり、これは、待機時において、リジェクトボックス１８の満杯状態、スタッカ８，１５〜１７の満杯状態あるいはスタッカ８，１５〜１７の空状態に備えて、異常となる前に予め紙幣の回収あるいは充填等を行う場合や、スタッカ８，１５〜１７自体の定期的交換等を行う場合である。
【００６３】
したがって、ステップＳＰ６で異常がないと判定される場合、上記作業内容のいずれかであると判断し、作業が上部ユニット４１および下部ユニット４２のいずれであるのかの選択入力をオペレータに対して指示する「上下ユニット開放選択画面」を表示部５３に表示させる（ステップＳＰ１９）。そして、オペレータにより上部ユニット４１および下部ユニット４２のいずれかの選択が操作部５４に対し入力されると（ステップＳＰ２０）、選択されたユニットが上部ユニット４１であるか下部ユニット４２であるかを判定する（ステップＳＰ２１）。
【００６４】
そして、選択されたユニットが上部ユニット４１である場合には、ステップＳＰ８に進んで装置ロック機構４７による筐体４０と上部ユニット４１とのロック解除を行って上部ユニット４１および下部ユニット４２の一体的な筐体４０からの引き出しすなわち上部ユニット４１のみの開放を行う一方、選択されたユニットが下部ユニット４２である場合にはステップＳＰ１４に進んで下部ユニットロック機構５０による上部ユニット４１と下部ユニット４２とのロック解除を行って下部ユニット４２のみの筐体４０からの引き出しすなわち下部ユニット４２のみの開放を行う。
【００６５】
なお、上記キースイッチ５５の説明で述べた「パスワード」モードは、オペレータ毎に割り当てられるパスワードの設定／変更を可能とするモードであるが、このパスワードの設定／変更を行う場合には、オペレータ毎に割り当てられるパスワードとは別の、特定の権限をもつ者のみに割り当てられたパスワードの入力が必要となる。
【００６６】
以上に述べた紙幣処理機１によれば、ユニット４１，４２のいずれかを開放させて何等かの処理を行う必要がある場合に、処理するためロック解除を行うユニットの選択がオペレータにより操作部５４に入力されると、ＣＰＵ６５が、操作部５４で選択されたユニット４１，４２のいずれかに対するロック機構４７，５０のいずれかによるロックを自動的に解除することになる。また、ユニット４１，４２のいずれかにおいて異常が発生した場合に、このユニットを開放させてその異常を解消させなければ、処理動作が中断した状態のままとなってしまうことになり、しかも、これが窓口等で顧客との取り引きに応じた処理を行っている場合には、一刻も早く異常を解消させて取り引きに対応しなければならないことになるが、ＣＰＵ６５が、搬送不良検出センサ６０，リジェクトフル検知センサ６１，スタッカフル検知センサ６２、スタッカエンド検知センサ６３で異常が検出されたユニット４１，４２のいずれかに対するロック機構４７，５０のいずれかによるロックを自動的に解除することになる。
【００６７】
したがって、選択または異常に対し必要なロック解除のみを行うことができるため不必要なユニットが開放されることを防止してセキュリティー管理を良好に行うことができる上、異常発生でその運用が一時停止されるような場合にも、復旧作業の迅速化を図ることができる。
【００６８】
また、ＣＰＵ６５は、ステップＳＰ２，ＳＰ３において、操作部５４に入力されたパスワードが、ＲＯＭ６７に記憶されたパスワードと一致する場合のみ、ロック機構４７，５０によるロック解除を許容するため、パスワードを知らない人間が、ロック機構４７，５０によるロック解除を行わせようとしてもできないことになる。
したがって、セキュリティー管理をさらに良好に行うことができる。
【００６９】
さらに、ＣＰＵ６５は、ステップＳＰ８において、上部ユニット４１に対する装置ロック機構４７によるロックを解除した場合に、その後のステップＳＰ１１において、上部ユニット４１が筐体４０の上部定位置にあることが上部ユニット定位置検知センサ４８で検出されなければ、下部ユニット４２に対する下部ユニットロック機構５０によるロック解除を規制することになり、かつ、ステップＳＰ１４で下部ユニット４２に対する下部ユニットロック機構５０によるロックを解除した場合に、その後のステップＳＰ１７において、下部ユニット４２が筐体４０の下部定位置にあることが下部ユニット定位置検知センサ５１で検出されなければ、上部ユニット４１に対する装置ロック機構４７によるロック解除を規制することになるため、上部ユニット４１と下部ユニット４２とが同時にロック解除されて開放されてしまうことがない。
したがって、セキュリティー管理をさらに良好に行うことができる。
【００７０】
加えて、ＣＰＵ６５は、ロック解除時に、ステップＳＰ１０，ＳＰ１６において、ロックを解除するためにステップＳＰ２で入力されたパスワードと、異常でロックを解除したのか否かの状態内容と、解除したロック機構または開放可能なユニットと、ロック解除の日時等とを、ロック解除に応じたロック解除情報としてＲＡＭ６６に記憶することになるため、ロックを解除することによってオペレータが開放されたユニット４１，４２に触れることができても、セキュリティー管理を行うことができる。
【００７１】
なお、上記したステップＳＰ８〜ＳＰ１２において予め定められた所定の時間内でこれらが実行されない場合にアラーム等の警報をならすようにしたり、ステップＳＰ１４〜ＳＰ１８において予め定められた所定の時間内でこれらが実行されない場合にアラーム等の警報をならすようにしたりしてもよい。すなわち、ユニット４７あるいはユニット５０が開放されたままの状態が長くなると、セキュリティー管理の面で問題が生じる可能性があるため、ユニット４７あるいはユニット５０が開放されている時間が予め定められた所定の時間を越えるとアラーム等の警報をならすようにするのである。
【００７２】
また、上記においては、ＲＯＭ６７に、各オペレータに割り当てられたパスワードを記憶しておき、このパスワードをステップＳＰ２で入力させステップＳＰ３で照合するようにしたが、ＲＯＭ６７に、各オペレータに割り当てられたパスワードとともにオペレータの名前を記憶しておき、パスワードとともに名前をステップＳＰ２で入力させステップＳＰ３で照合するようにしてもよい。
【００７３】
さらに、上記においては、自動的に異常のあるユニットのロックを解除することによって、異常解消作業の効率化と必要のないユニットの開放防止とを図るようにしたが、異常があり開放すべきユニットをオペレータにより選択入力させるようにしてもよい。
【００７４】
加えて、上記においては、そのユニット形状により、各ユニットを開放／規制するための各ロック機構４７，５０を上部ユニット４１と筐体４０との間と、上部ユニット４１と下部ユニット４２との間に設けたが、各ユニット４１，４２が完全に独立して筐体４０に対し引き出し可能である場合には、互いに干渉しないように、それぞれのユニット４１，４２と筐体４０との間にロック機構を設けてもよい。
【００７５】
さらに、上記においては、上部ユニット４１および下部ユニット４２の二つのユニットから構成されている場合を例にとり説明したが、当然、３つ以上のユニットを有するものであっても、ロック機構をユニットの数に応じて設ければ、上記と同様にセキュリティー管理を行うことができる。
【００７６】
【発明の効果】
以上詳述したように、本発明の請求項１記載の紙幣処理機によれば、ユニットを開放させて何等かの処理を行う必要がある場合に、処理するためロック解除を行うユニットの選択がオペレータにより入力されると、制御手段が、選択手段で選択されたユニットに対するロック機構によるロックのみを自動的に解除することになる。
したがって、必要なロック解除のみを行うことができるため、不必要なユニットが開放されることを防止してセキュリティー管理を良好に行うことができる。
一のユニットに対するロック機構によるロックを解除した場合に、その後、当該ユニットが筐体のロック位置にあることがロック位置検出手段で検出されなければ、制御手段は、他のユニットに対するロック機構によるロック解除を規制することになるため、一のユニットと他のユニットとが同時にロック解除されて開放されてしまうことがない。
したがって、セキュリティー管理をさらに良好に行うことができる。
【００７７】
本発明の請求項２記載の紙幣処理機によれば、ユニットにおいて異常が発生した場合に、ユニットを開放させてその異常を解消させなければ、処理動作が中断した状態のままとなってしまうことになり、しかも、これが窓口等で顧客との取り引きに応じた処理を行っている場合には、一刻も早く異常を解消させて取り引きに対応しなければならないことになるが、制御手段が、異常検出手段で異常が検出された場合に、該異常が検出されたユニットに対するロック機構によるロックのみを自動的に解除することになる。
したがって、異常に対し必要なロック解除のみを行うことができるため不必要なユニットが開放されることを防止してセキュリティー管理を良好に行うことができる上、異常発生でその運用が一時停止されるような場合にも、復旧作業の迅速化を図ることができる。
一のユニットに対するロック機構によるロックを解除した場合に、その後、当該ユニットが筐体のロック位置にあることがロック位置検出手段で検出されなければ、制御手段は、他のユニットに対するロック機構によるロック解除を規制することになるため、一のユニットと他のユニットとが同時にロック解除されて開放されてしまうことがない。
したがって、セキュリティー管理をさらに良好に行うことができる。
【００７８】
本発明の請求項３記載の紙幣処理機によれば、ユニットを開放させて何等かの処理を行う必要がある場合に、処理するためロック解除を行うユニットの選択がオペレータにより入力されると、制御手段が、選択手段で選択されたユニットに対するロック機構によるロックのみを自動的に解除することになる。また、ユニットにおいて異常が発生した場合に、ユニットを開放させてその異常を解消させなければ、処理動作が中断した状態のままとなってしまうことになり、しかも、これが窓口等で顧客との取り引きに応じた処理を行っている場合には、一刻も早く異常を解消させて取り引きに対応しなければならないことになるが、制御手段が、異常検出手段で異常が検出された場合に、該異常が検出されたユニットに対するロック機構によるロックのみを自動的に解除することになる。
したがって、選択または異常に対し必要なロック解除のみを行うことができるため不必要なユニットが開放されることを防止してセキュリティー管理を良好に行うことができる上、異常発生でその運用が一時停止されるような場合にも、復旧作業の迅速化を図ることができる。
一のユニットに対するロック機構によるロックを解除した場合に、その後、当該ユニットが筐体のロック位置にあることがロック位置検出手段で検出されなければ、制御手段は、他のユニットに対するロック機構によるロック解除を規制することになるため、一のユニットと他のユニットとが同時にロック解除されて開放されてしまうことがない。
したがって、セキュリティー管理をさらに良好に行うことができる。
【００７９】
本発明の請求項４記載の紙幣処理機によれば、パスワード入力手段に入力されたパスワードが、パスワード記憶手段に記憶されたパスワードと一致する場合のみ、制御手段がロック機構によるロック解除を許容するため、パスワードを知らない人間が、ロック機構によるロック解除を行わせようとしてもできないことになる。
したがって、セキュリティー管理をさらに良好に行うことができる。
【００８１】
本発明の請求項５記載の紙幣処理機によれば、制御手段は、ロック解除時に、ロック解除に応じた、例えばオペレータの識別、ロック解除の場所、ロック解除の時間等の情報を記憶することになるため、ロックを解除することによってオペレータが開放されたユニットに触れることができても、セキュリティー管理を行うことができる。
【図面の簡単な説明】
【図１】本発明の紙幣処理機の一の実施の形態を示す斜視図である。
【図２】本発明の紙幣処理機の一の実施の形態を概略的に示す側断面図である。
【図３】本発明の紙幣入出金機の一の実施の形態の上部ユニット引き出し時の状態を示す側面図である。
【図４】本発明の紙幣入出金機の一の実施の形態の下部ユニット引き出し時の状態を示す側面図である。
【図５】本発明の紙幣入出金機の一の実施の形態の要部を示すブロック図である。
【図６】本発明の紙幣入出金機の一の実施の形態の制御部によるセキュリティー管理制御の制御内容を示すフローチャートである。
【符号の説明】
１  紙幣処理機
４０  筐体
４１  上部ユニット（ユニット）
４２  下部ユニット（ユニット）
４７  装置ロック機構（ロック機構）
４８  上部ユニット定位置検知センサ（ロック位置検出手段）
５０  下部ユニットロック機構（ロック機構）
５１  下部ユニット定位置検知センサ（ロック位置検出手段）
５４  操作部（選択手段，パスワード入力手段）
６０  搬送不良検出センサ（異常検出手段）
６１  リジェクトフル検知センサ（異常検出手段）
６２  スタッカフル検知センサ（異常検出手段）
６３  スタッカエンド検知センサ（異常検出手段）
６５  ＣＰＵ（制御手段）
６６  ＲＡＭ（ロック情報記憶手段）
６７  ＲＯＭ（パスワード記憶手段）
【図１】
0003558870.tif 000002
【図２】
0003558870.tif 000003
【図３】
0003558870.tif 000004
【図４】
0003558870.tif 000005
【図５】
0003558870.tif 000006
【図６】
0003558870.tif 000007